(57)【要約】【課題】部分耕耘直播装置で乾田直播作業を行った後に、水稲の種子の播種床を形成すべく掘削した耕起溝に雨水が排水されずに溜まり、この雨水に水稲の種子が長時間浸漬されて酸欠状態となり、当該種子が発芽する直前に腐ってしまうといった不具合が発生することを回避する。【解決手段】耕起溝Ｄを形成する複数本の耕耘爪２１のうち、少なくとも２本の耕耘爪２１の横刃部先端を耕耘軸２２の軸方向に左右外向きに取り付ける一方、その他複数本の耕耘爪２１の横歯部ｂ先端を耕耘軸２２の軸方向に左右内向きに取り付けた。【選択図】図３
2007020427.tif 000002
【特許請求の範囲】
【請求項１】
耕耘軸（２２）の軸方向に所定の播種条間を存して複数本の耕耘爪（２１）を放射状に取り付け、該耕耘爪（２１）を回転駆動させることにより不耕起状態の圃場に耕起溝（Ｄ）を形成し、且つ前記耕耘爪（２１）の後方に放擲される土塊を捕集して耕起溝（Ｄ）上に播種床（Ｆ）を形成する耕耘ユニット（１２）と、該耕耘ユニット（１２）の後方に、前記播種床（Ｆ）に播種溝を形成する溝切り刃（２６）と、前記播種溝に種子タンク（２４）内の種子を繰り出して播種する繰出装置（２５）と、種子を播種した後の播種溝に覆土する覆土板（２７）と、前記播種溝の上部を押圧整地する鎮圧ローラ（２８）を備える播種ユニット（１６）を配置した部分耕耘直播装置（１１）において、前記耕起溝（Ｄ）を形成する複数本の耕耘爪（２１）は、耕耘軸（２２）への取り付け基部から連続的に形成される縦刃部（ａ）と、該縦刃部（ａ）の先端を一側に折り曲げ形成した横刃部（ｂ）とを有し、且つ当該複数本の耕耘爪（２１）を、横歯部（ｂ）先端を耕耘軸（２２）の軸方向に左右内向きに取り付けたものと、横刃部（ｂ）先端を耕耘軸（２２）の軸方向に左右外向きに取り付けたものとで構成したことを特徴とする部分耕耘直播装置。
【発明の詳細な説明】
【技術分野】
【０００１】
本発明は、不耕起状態の圃場を部分的に耕起して播種や施肥を行う部分耕耘直播装置に備える耕耘爪に関する。
【背景技術】
【０００２】
従来、不耕起状態の圃場を部分的に耕耘して播種や施肥を行う部分耕耘直播装置は、トラクタ等の機体後部に備える昇降リンク機構を介して昇降可能に連結されると共に、当該部分耕耘直播装置は昇降リンク機構のトップリンク及びロアリンクに連結した耕耘ユニットと、この耕耘ユニットから後方に突出するツールバーに平行リンク機構を介して昇降自在に連結した施肥播種ユニットから構成されている。
【０００３】
そして、耕耘ユニットは、機体側からＰＴＯ動力が入力されるギヤケース、該ギヤケースから左右に突出する筒フレーム、該筒フレームの左右両端から下方に突出するサイドフレーム、左右のサイドフレーム間に回動可能に支承した耕耘軸（爪軸）、及び該耕耘軸の軸方向に所定の間隔を存して設けた複数の耕耘部を備えると共に、これらの耕耘部に不耕起状態の圃場を耕耘する耕耘爪と該耕耘爪の両側方及び上方を覆うカバーとを設け、更に
前記耕耘爪を耕耘用の作溝爪と、この作溝爪より長寸で、且つ先端の掘削作用面において圃場の耕耘とカバー内に溜まる土の掻き取りを行う掻取爪とで構成し、当該カバーの内壁に付着する土の抵抗によって動力損失が発生することを軽減させる部分耕耘直播装置が知られている（例えば、特許文献１参照。）。
【特許文献１】特開２０００−１３９１０４号公報（第２−３頁、図１−図３）
【発明の開示】
【発明が解決しようとする課題】
【０００４】
そして、上述した部分耕耘直播装置による水稲の乾田直播作業においては、先ず耕耘ユニットに備える耕耘爪によって不耕起状態の圃場面を掘削して耕起溝を形成すると共に、前記耕耘爪の後方に放擲される土塊をカバーにより捕集して耕起溝上に播種床を形成し、次いで耕耘ユニットの後方に配置した播種ユニットに備える溝切り刃によって前記播種床に播種溝を形成した後、この播種溝に繰出装置を介して種子タンク内の水稲の種子を供給しながら播種し、更に当該播種ユニットに備える覆土板によって播種溝を覆土すると共に該播種溝の上部を鎮圧ローラでもって押圧整地していた。
【０００５】
しかし、上述の如く乾田直播作業を行った後に強い雨が降った場合は、水稲の種子の播種床を形成すべく掘削した耕起溝に雨水が排水されずに溜まり、この雨水に水稲の種子が長時間浸漬されると酸欠状態となって、発芽する直前の当該種子が腐ってしまうといった重大な不具合が発生する虞があった。
【課題を解決するための手段】
【０００６】
本発明は、上記課題を解決することを目的としたものであって、耕耘軸の軸方向に所定の播種条間を存して複数本の耕耘爪を放射状に取り付け、該耕耘爪を回転駆動させることにより不耕起状態の圃場に耕起溝を形成し、且つ前記耕耘爪の後方に放擲される土塊を捕集して耕起溝上に播種床を形成する耕耘ユニットと、該耕耘ユニットの後方に、前記播種床に播種溝を形成する溝切り刃と、前記播種溝に種子タンク内の種子を繰り出して播種する繰出装置と、種子を播種した後の播種溝に覆土する覆土板と、前記播種溝の上部を押圧整地する鎮圧ローラを備える播種ユニットを配置した部分耕耘直播装置において、前記耕起溝を形成する複数本の耕耘爪は、耕耘軸への取り付け基部から連続的に形成される縦刃部と、該縦刃部の先端を一側に折り曲げ形成した横刃部とを有し、且つ当該複数本の耕耘爪を、横歯部先端を耕耘軸の軸方向に左右内向きに取り付けたものと、横刃部先端を耕耘軸の軸方向に左右外向きに取り付けたものとで構成したことを特徴としている。
【発明の効果】
【０００７】
本発明によれば、耕耘軸の軸方向に所定の播種条間を存して複数本の耕耘爪を放射状に取り付け、これら耕耘爪を回転駆動させることにより不耕起状態の圃場に耕起溝を形成し、且つ前記耕耘爪の後方に放擲される土塊を捕集して耕起溝上に播種床を形成する耕耘ユニットと、この耕耘ユニットの後方に、前記播種床に播種溝を形成する溝切り刃と、前記播種溝に種子タンク内の種子を繰り出して播種する繰出装置と、種子を播種した後の播種溝に覆土する覆土板と、前記播種溝の上部を押圧整地する鎮圧ローラを備える播種ユニットを配置した部分耕耘直播装置において、前記耕起溝を形成する複数本の耕耘爪は、耕耘軸への取り付け基部から連続的に形成される縦刃部と、該縦刃部の先端を一側に折り曲げ形成した横刃部とを有し、且つ当該複数本の耕耘爪を、横歯部先端を耕耘軸の軸方向に左右内向きに取り付けたものと、横刃部先端を耕耘軸の軸方向に左右外向きに取り付けたものとで構成したことによって、これら横歯部先端を耕耘軸の軸方向に左右内向きに取り付けた耕耘爪により所望幅の耕起溝が形成されると共に、横刃部先端を耕耘軸の軸方向に左右外向きに取り付けた耕耘爪によって、前記耕起溝の両側面から底部両端にかけて凹陥部が形成され、次いでこの凹陥部から土壌の亀裂が派生する。したがって、乾田直播作業を行った後に強い雨が降った場合、種子の播種床を形成すべく掘削した耕起溝に溜まろうとする雨水を、前記凹陥部から派生した土壌の亀裂部分に浸透させながら排水することができるようになり、従来のように、種子が雨水に長時間浸漬され酸欠状態となって、発芽する直前で腐ってしまうといった重大な不具合が発生することを回避できる。
【発明を実施するための最良の形態】
【０００８】
次に、本発明の実施の形態を図面に基づいて説明する。図１及び図２は、トラクタ等の機体後部に備える昇降リンク機構を介して連結される部分耕耘直播装置１１の側面図及び平面図であって、当該部分耕耘直播装置１１は、前記昇降リンク機構に着脱可能に連結される耕耘ユニット１２と、この耕耘ユニット１２から後方に突出するツールバー１３に、ホルダ１４及び平行リンク機構１５を介して昇降可能に連結した播種ユニット１６を備えている。
【０００９】
耕耘ユニット１２は、トラクタ等の機体側からＰＴＯ動力が入力されるギヤケース１７と、このギヤケース１７の左右の両側には、耕耘ユニット１２の横伝動筒を兼ねる筒状アーム１８Ｌ，１８Ｒとを備え、左側筒状アーム１８Ｌの外端（左端側）には伝動ケースであるチェンケース１９、一方右側筒状アーム１８Ｒの外端（右端側）には図示しないサイドプレートを固設すると共に、チェンケース１９とサイドプレートの間に所定の播種条間を存して、複数本の耕耘爪２１を放射状に螺設してなる耕耘軸２２を回転可能に支承した、所謂サイドドライブ方式の伝動機構を採用している。そして、耕耘ユニット１２の後方には、耕深調節用の尾輪２３をツールバー１３に支持している。
【００１０】
また、播種ユニット１６は、稲や麦等の種子を収容する種子タンク２４と、この種子タンク２４内の種子を播種溝に向け繰り出して播種する繰出装置２５と、播種溝形成用の溝切り刃２６、更に種子を播種した後の播種溝に覆土する覆土板２７、播種溝の上部を押圧する鎮圧ローラ２８及び接地輪２９を備えている。
【００１１】
更に詳しくは、上述したギヤケース１７に入力されたＰＴＯ動力が、チェーンケース１９を介して耕耘軸２２に伝動され、この耕耘軸２２の軸方向に所定の播種条間を存して放射状に螺設した複数本の耕耘爪２１を、部分耕耘直播装置１１が牽引されるトラクタ等の車輪と同一の回転方向（正転）に正回転駆動（図中Ａ矢印方向）させることによって、不耕起状態の圃場Ｓにおいて、種子の播種位置のみを部分耕起することができるようになっている。
【００１２】
そして、耕耘軸２２に放射状に螺設される複数本の耕耘爪２１は、側面視において、その取り付け基部Ｂから連続的に形成される外周方向に湾曲した形状の縦刃部ａと、この縦刃部ａ先端を耕耘軸２２の回転方向に対して左または右側方に折り曲げ形成した横刃部ｂを有し、且つ該横刃部ｂの上面側には、土塊をすくい上げて放擲する作用面である図示しないすくい面を備えており、図３に示すように、これら複数本の耕耘爪２１のうち、少なくとも２本の耕耘爪２１の横歯部ｂ先端を耕耘軸２２の軸方向に左右外向きに螺設する（取り付ける）一方、その他複数本の耕耘爪２１の横歯部ｂ先端を耕耘軸２２の軸方向に左右内向きに螺設し、このように耕耘軸２２に対して放射状に螺設した複数本の耕耘爪２１を正回転駆動させることによって、図３及び図４に示す幅狭（約５０ｍｍ幅）な耕起溝Ｄを形成することができるようになっている。
【００１３】
即ち、上述の如く横歯部ｂ先端を耕耘軸２２の軸方向に左右内向きに取り付けた複数本の耕耘爪２１により所望幅の耕起溝Ｄが形成されると共に、横歯部ｂ先端を耕耘軸２２の軸方向に左右外向きに取り付けた少なくとも２本の耕耘爪２１によって、当該耕起溝Ｄの両側面から底部両端にかけて凹陥部Ｅ，Ｅが形成され、次いで横刃部ｂの上面側に備えるすくい面の放擲作用によりこの凹陥部Ｅ，Ｅから土壌の亀裂Ｃ，Ｃが派生する。したがって、乾田直播作業を行った後に強い雨が降った場合、種子の播種床を形成すべく掘削した耕起溝Ｄに溜まろうとする雨水を、前記凹陥部Ｅ，Ｅから派生した土壌の亀裂Ｃ，Ｃ部分に浸透させながら排水することができるようになり、従来のように、種子が雨水に長時間浸漬され酸欠状態となって、発芽する直前で腐ってしまうといった重大な不具合が発生することを回避できる。
【００１４】
また、上述した耕耘爪２１の上方を覆う円弧状に形成したロータリカバー３１の後端には、支点Ｐを回動中心として図中Ｇ矢印方向に上下回動可能なリヤカバー３２を設けている。このリヤカバー３２は、ロータリカバー３１に設けた支持部材３１ａに連結するロッド３３を介して上下高さ位置（回動高さ位置）を調節することができる構成になっている。
【００１５】
そして、正回転駆動する耕耘爪２１により耕起破砕された土塊の大部分は耕耘爪２１の後方に放擲されるので、その土塊を効率よく捕集して耕起溝Ｄ上に適切な播種床Ｆ（図３及び図４参照）を形成すべく、耕耘爪２１の後方側を覆う整地体３４を、ボルト３５とナット３６を用いてリヤカバー３２の下面側から固定できるように構成している。
【００１６】
更に、整地体３４は、リヤカバー３２の上下方向（図１に示すＨ矢印方向）に二点鎖線で示す如く進退調節することができ、上述した図中Ｇ矢印方向のリヤカバー３２の上下回動による高さ位置調節を併用することによって、不耕起状態の圃場Ｓにおける雑草の生育具合や土質に応じた適切な播種床Ｆを形成することができるようになっている。
【００１７】
即ち、整地体３４を、図４に示すように、耕耘爪２１の後方側を覆ってその後端側が徐々に狭くなるコの字の土塊捕集形状とし、更に当該整地体３４の側面視形状３４ａを図１に示す如く下側が広幅となるように形成することによって、耕耘爪２１の後方に放擲される土塊の飛散を抑制しながら当該土塊を効果的に捕集して適切な播種床Ｆを形成することができる。
【図面の簡単な説明】
【００１８】
【図１】部分耕耘直播装置の側面図。
【図２】部分耕耘直播装置の一部省略平面図。
【図３】図１におけるＮ矢視図。
【図４】図１におけるＨ矢視図。
【符号の説明】
【００１９】
１１  部分耕耘直播装置
１２  耕耘ユニット
１６  播種ユニット
２１  耕耘爪
２２  耕耘軸
２４  種子タンク
２５  繰出装置
２６  溝切り刃
２７  覆土板
２８  鎮圧ローラ
ａ    縦刃部
ｂ    横刃部
Ｄ    耕起溝
Ｆ    播種床
【図１】
2007020427.tif 000003
【図２】
2007020427.tif 000004
【図３】
2007020427.tif 000005
【図４】
2007020427.tif 000006